(57)【要約】      （修正有）【課題】ごみピットの擁壁上端部に設置する際に、擁壁上端部に設けたコンクリート製の落下防止壁の開口を小さくすることができ、その結果、転落防止用の柵を設置することなく作業員の転落事故を防止することができ、また、ごみピット内のごみを搬送するクレーンとの接触事故を防止できる放水銃装置を提供する。【解決手段】放水銃装置１は、通路の床面に設置した架台７と、架台７上にごみピットに沿って水平姿勢で設けられ、上流側端部が送水管８に接続されて軸線φ１廻りに回転自在な水平給水パイプ９と、水平給水パイプ９の下流側端部に垂直姿勢で接続され、水平給水パイプ９の回転に伴って垂直回動する軸線φ２廻りに回転自在な垂直給水パイプ１０と、垂直給水パイプ１０の先端部に接続された放水銃１１と、垂直給水パイプ１０及び放水銃１１の垂直軌道上から外れた位置に設けられる。【選択図】図２
0003187740.tif 000002
【実用新案登録請求の範囲】
【請求項１】
ごみピット（２）の擁壁（３）上端部の周りに設けた通路（４）に設置される放水銃装置（１）において、前記放水銃装置（１）は、通路（４）の床面に設置した架台（７）と、架台（７）上にごみピット（２）に沿って水平姿勢で設けられ、上流側端部が送水管（８）に接続されて軸線（φ１）廻りに回転自在な水平給水パイプ（９）と、水平給水パイプ（９）の下流側端部に垂直姿勢で接続され、水平給水パイプ（９）の回転に伴って垂直回動する軸線（φ２）廻りに回転自在な垂直給水パイプ（１０）と、垂直給水パイプ（１０）の先端部に接続された放水銃（１１）と、垂直給水パイプ（１０）及び放水銃（１１）の垂直軌道上から外れた位置に設けられ、水平給水パイプ（９）を軸線φ１廻りに回転させる放水銃仰俯角用駆動部（１２）と、垂直給水パイプ（１０）及び放水銃（１１）の垂直軌道上から外れた位置に設けられ、垂直給水パイプ（１０）を軸線（φ２）廻りに回転させる放水銃回転用駆動部（１３）とから構成されており、前記垂直給水パイプ（１０）は、通路（４）側へ垂直回動して水平姿勢に保たれ、放水銃（１１）を通路（４）側で且つごみピット（２）の擁壁（３）上端部に設けた落下防止壁（５）の上端よりも低い位置に収納する収納位置と、ごみピット（２）側へ垂直回動して垂直給水パイプ（１０の先端部及び放水銃（１１）がごみピット（２）内に位置する使用位置とに亘って姿勢変更可能としたことを特徴とする放水銃装置。
【請求項２】
放水銃仰俯角用駆動部（１２）は、放水銃仰俯角用モータ（１２ａ）と、放水銃仰俯角用モータ（１２ａ）と水平給水パイプ（９）との介設した歯車伝動機構（１２ｂ）とから成り、また、放水銃回転用駆動部（１３）は、放水銃回転用モータ（１３ａ）と、放水銃回転用モータ（１３ａ）と垂直給水パイプ（１０）との間に介設した歯車伝動機構（１３ｂ）とから成ることを特徴とする請求項１に記載の放水銃装置。
【請求項３】
垂直給水パイプ（１０）の先端部をＬ字状に形成し、垂直給水パイプ（１０）の先端部に放水銃（１１）を接続したことを特徴とする請求項１又は請求項２に記載の放水銃装置。
【請求項４】
水平給水パイプ（９）の上流側部分、送水管（８）の下流側部分及び放水銃仰俯角用駆動部（１２）を第１ケーシング（１４）で被覆すると共に、水平給水パイプ（９）の下流側部分、垂直給水パイプ（１０）の上流側部分及び放水銃回転用駆動部（１３）を第２ケーシング（１５）で被覆したことを特徴とする請求項１、請求項２又は請求項３に記載の放水銃装置。
【考案の詳細な説明】
【技術分野】
【０００１】
本考案は、都市ごみ等を焼却処理するごみ焼却処理施設のごみピットの擁壁上端部に設置され、ごみピット内での火災発生時に消火作業を行う放水銃装置の改良に係り、特に、放水銃装置をごみピットの擁壁上端部に設置する際に、擁壁上端部に設けたコンクリート製の落下防止壁（腰壁）の開口を小さくすることができ、その結果、転落防止用の柵を設置することなく作業員の転落事故を防止することができ、また、ごみピット内のごみを搬送するクレーンとの接触事故を防止できるようにした放水銃装置に関するものである。
【背景技術】
【０００２】
一般に、都市ごみ等は、ごみ収集車でごみ焼却処理施設へ搬入され、ごみピット内へ一旦貯留される。その後、ごみピットの上方に配設したクレーンによってごみ焼却炉のごみ投入ホッパへ定量ずつ投入され、ごみ焼却炉により焼却処理されている。
【０００３】
ところで、都市ごみ等は、その中味が種々雑多であり、その中には引火性の高いものや発火性の高いものが多量に含まれている。また、収集時に混入したタバコの火種や、収集時に混入した金属がごみ収集車内で金属火花を発することにより生じた火種が、ごみピットへ搬入されることがある。更に、ごみピットに貯留した後には、発酵等による温度上昇がみられる。
その結果、ごみピット内では、しばしば火災が発生することがあり、しかも、このごみピット内の火災は、予測が著しく困難なうえ、突然発生するので問題である。
【０００４】
そこで、ごみ焼却処理設備のごみピットには、火災発生時に消火作業を行う消火設備が設置されている。この消火設備には、通常放水銃装置が使用されてる。
【０００５】
従来、この種の放水銃装置としては、例えば、図９（Ａ），（Ｂ），（Ｃ）に示す放水銃装置や図１０（Ａ），（Ｂ）に示す放水銃装置（特許文献１参照）等が知られている。
【０００６】
尚、図９において、３０は放水銃装置、３１は架台、３２は送水管、３３は放水銃、３４はケーシング、３５はごみピット、３６はごみピットの擁壁、３７は通路、３８は転落防止壁、３９は開口、４０は転落防止用の柵である。
また、図１０において、４１は放水銃装置、４２は基台、４３は給水パイプ兼支柱、４４は連結パイプ、４５はスイベルジョイント、４６は放水銃、４７は駆動部ケーシング、４８は開閉蓋、４９はアーム、５０は電動シリンダ、５１はピストンロッド、５２はシリンダステー、５３はシリンダ支軸、５４はごみピット、５５は通路の床面である。
【０００７】
ところで、ごみピットに放水銃装置を設置する場合においては、通常の付帯設備に対する制約がある。
特に、ごみピットは、オーバホール等を考慮して数日分程度の貯留容量が必要であり、そのため容積がかなり大きくなっており、また、地下又は壁面に囲われて地上に設置されている。
【０００８】
そのため、放水銃装置は、通常ごみピットの擁壁上端部に設置されている。また、ごみピットの擁壁上端部の周りには、ごみピット内を目視するための通路が設けられているが、作業員の転落や物品の落下を防止するためのコンクリート製の転落防止壁（腰壁）が設置されている。
【０００９】
その結果、ごみピットに放水銃装置を設置する際には、放水銃装置自体の形状だけではなく、放水銃装置の動作に必要な範囲に亘ってコンクリート製の転落防止壁の一部を開口する必要があり、更に、稼働している際には、開口部に放水銃等が無い状態になるため、作業員の転落事故や物品の落下を防止するための柵等を通路に設置しなければならない。
【００１０】
また、ごみピットの上方位置には、ごみピットに貯留されたごみを搬送してごみ焼却炉のごみ投入ホッパへ投入するためのクレーンが設置されている。
このクレーンには、バケットと呼ばれる爪状又は分割された籠状の装置がワイヤロープの末端に付いており、通常はごみピットの擁壁の内側を縦横に移動しているが、バケットの点検修理や交換作業は、ごみピットの擁壁上端部に設けた通路で行われている。
従って、クレーンは、ごみピットの擁壁上端部のみではなく、通路部分にも移動させる必要がある。
【００１１】
その結果、ごみピットの擁壁の上端部を越えて放水銃装置が設置される場合においては、クレーンのバケットが放水銃装置に接触する事故が発生している。
【００１２】
図９に示す従来の放水銃装置３０は、放水銃３３を収納状態（収納位置）から放水に必要な状態（放水位置又は使用位置）まで水平動作させる構成としているため、ごみピット３５の擁壁上端部に設けた転落防止壁３８の開口３９が必然的に大きくなる。そのため、転落防止用の柵４０を設けなければ、作業員が転落する虞があった。
【００１３】
また、図１０に示す特許文献１の放水銃装置４１のように、収納状態（収納位置）を垂直位置にした放水銃装置４１にあっては、転落防止壁の開口を小さくすることができるが、収納状態のときに放水銃４６等が転落防止壁の上端面よりもかなり上方へ突出するため、クレーンのバケットとの接触事故の危険性が大きくなると云う別の問題が発生することになる。
【００１４】
尚、水平軌道による収納をやめて垂直軌道による収納とし、放水銃を後部（後方）に収納するようにした場合には、転落防止壁の開口を小さくできてクレーンのバケットとの接触事故も防止することができるが、駆動源であるモータの位置が回転軌道上にあったり、或いは、管路（水路）が２経路に分岐してハート形になっているような従来の放水銃装置（図示省略）では、垂直軌道により放水銃を後部に収納すると云うことは不可能である。
【先行技術文献】
【特許文献】
【００１５】
【特許文献１】実用新案登録第２５８９２４５号公報
【考案の概要】
【考案が解決しようとする課題】
【００１６】
本考案は、このような問題点に鑑みて為されたものであり、その目的は、放水銃装置をごみピットの擁壁上端部に設置する際に、擁壁上端部に設けたコンクリート製の落下防止壁（腰壁）の開口を小さくすることができ、その結果、転落防止用の柵を設置することなく作業員の転落事故を防止することができ、また、ごみピット内のごみを搬送するクレーンとの接触事故を防止できるようにした放水銃装置を提供することにある。
【００１７】
本願考案者等は、上述した従来の放水銃装置の問題を解決するため、モータの位置を回転軌道上から外すと共に、全て単一の管路（水路）で構成し、収納状態（収納位置）から放水に必要な状態（使用位置）までの動作を垂直動作させると共に、収納時においては、放水銃装置のどの部分も転落防止壁の上端を越えず、且つごみピットの内部（ごみピット底面の水平投影部分）に突出しないようにした新しい放水銃装置を開発した。
【課題を解決するための手段】
【００１８】
上記目的を達成するために、本考案の請求項１の考案は、ごみピットの擁壁上端部の周りに設けた通路に設置される放水銃装置において、前記放水銃装置は、通路の床面に設置した架台と、架台上にごみピットに沿って水平姿勢で設けられ、上流側端部が送水管に接続されて軸線廻りに回転自在な水平給水パイプと、水平給水パイプに垂直姿勢で接続され、水平給水パイプの回転に伴って垂直回動する軸線廻りに回転自在な垂直給水パイプと、垂直給水パイプの先端部に接続された放水銃と、垂直給水パイプ及び放水銃の垂直軌道上から外れた位置に設けられ、水平給水パイプを軸線廻りに回転させる放水銃仰俯角用駆動部と、垂直給水パイプ及び放水銃の垂直軌道上から外れた位置に設けられ、垂直給水パイプを軸線廻りに回転させる放水銃回転用駆動部とから構成されており、前記垂直給水パイプは、通路側へ垂直回動して水平姿勢に保たれ、放水銃を通路側で且つごみピットの擁壁上端部に設けた転落防止壁の上端よりも低い位置に収納する収納位置と、ごみピット側へ垂直回動して垂直給水パイプの先端部及び放水銃がごみピット内に位置する使用位置とに亘って姿勢変更可能としたことに特徴がある。
【００１９】
本考案の請求項２の考案は、請求項１に記載の考案において、放水銃仰俯角用駆動部が、放水銃仰俯角用モータと、放水銃仰俯角用モータと水平給水パイプとの介設した歯車伝動機構とから成り、また、放水銃回転用駆動部が、放水銃回転用モータと、放水銃回転用モータと垂直給水パイプとの間に介設した歯車伝動機構とから成ることに特徴がある。
【００２０】
本考案の請求項３の考案は、請求項１又は請求項２に記載の考案において、垂直給水パイプの先端部をＬ字状に形成し、垂直給水パイプの先端部に放水銃を接続したことに特徴がある。
【００２１】
本考案の請求項４の考案は、請求項１、請求項２又は請求項３に記載の考案において、水平給水パイプの上流側部分、送水管の下流側部分及び放水銃仰俯角用駆動部を第１ケーシングで被覆すると共に、水平給水パイプの下流側部分、垂直給水パイプの上流側部分及び放水銃回転用駆動部を第２ケーシングで被覆したことに特徴がある。
【考案の効果】
【００２２】
本考案の放水銃装置は、水平姿勢で配設された軸線廻りに回転自在な水平給水パイプと、水平給水パイプに垂直姿勢で接続され、軸線廻りに回転自在な垂直給水パイプと、垂直給水パイプの先端部に接続された放水銃と、水平給水パイプを軸線廻りに回転させる放水銃仰俯角用駆動部と、垂直給水パイプを軸線廻りに回転させる放水銃回転用駆動部とから構成されており、前記垂直給水パイプを、通路側へ垂直回動して水平姿勢に保たれ、放水銃を通路側で且つごみピットの擁壁上端部に設けた転落防止壁の上端よりも低い位置に収納する収納位置と、ごみピット側へ垂直回動して垂直給水パイプの先端部及び放水銃がごみピット内に位置する使用位置とに亘って姿勢変更可能としている。
即ち、本考案の放水銃装置は、収納位置から使用位置までの動作を垂直動作とし、動作に必要な水平投影面を減少させることができるため、ごみピットの擁壁上端部に設けた転落防止壁の開口を小さくすることができ、その結果、転落防止壁の開口に柵を設置する必要がなくなると共に、作業員の転落事故を防止することができる。
また、本考案の放水銃装置は、収納位置においては、放水銃装置のどの部分も転落防止壁の上端を超えず、しかも、放水銃が通路側に位置してごみピットの内部（底面の水平投影部分）に突出しない構成となっているため、ごみピット内のごみを搬送するクレーンとの接触事故を確実且つ良好に防止することができる
【００２３】
本考案の放水銃装置は、収納位置から使用位置までの動作を垂直動作としているため、放水銃を水平旋回させるようにした従来の放水銃装置に比較して水平旋回用のモータが不要となり、放水銃仰俯角用モータと放水銃回転用モータの二つのモータでの稼働が可能となり、構造の簡略化及びコスト低減を図ることができる。
【００２４】
本考案の放水銃装置は、垂直給水パイプの先端部をＬ字状に形成し、垂直給水パイプの先端部に放水銃を接続しているため、垂直給水パイプを軸線廻りに回転させることによって放水銃の向きを３６０度変えることができ、至極便利である。
【００２５】
本考案の放水銃装置は、水平給水パイプの上流側部分、送水管の下流側部分及び放水銃仰俯角用駆動部を箱型の第１ケーシングで被覆すると共に、水平給水パイプの下流側部分、垂直給水パイプの上流側部分及び放水銃回転用駆動部を箱型の第２ケーシングで被覆しているため、激しい埃等の作業条件下においても、各駆動部等の防塵保護を行えると共に、駆動部等の可動部分が外部へ露出していないので安全性にも優れている。
【図面の簡単な説明】
【００２６】
【図１】本考案の実施の形態に係る放水銃装置の機構を示す正面図である。
【図２】放水銃装置の機構を示す平面図である。
【図３】放水銃装置の機構を示す右側面図である。
【図４】放水銃装置の機構を示す左側面図である。
【図５】放水銃装置の設置状態を示し、（Ａ）は正面図、（Ｂ）は平面図、（Ｃ）は右側面図である。
【図６】放水銃装置の作動状態を示し、（Ａ）は放水銃を真上に起立させた状態の正面図、（Ｂ）は放水銃を真上に起立させた状態の平面図、（Ｃ）は放水銃を真上に起立させた状態の右側面図である。
【図７】同じく放水銃装置の作動状態を示し、（Ａ）は放水銃をごみピット側へ回転させた状態の正面図、（Ｂ）は放水銃をごみピット側へ回転させた状態の平面図、（Ｃ）は放水銃をごみピット側へ回転させた状態の右側面図である。
【図８】本考案の実施の形態に係る放水銃装置を梁等のブリッジ上に設置し、放水銃を中心として３６０度放水可能とした状態の側面図である。
【図９】従来の放水銃装置の一例を示し、（Ａ）は正面図、（Ｂ）は平面図、（Ｃ）は左側面図である。
【図１０】従来の放水銃装置の他の例を示し、（Ａ）は左側面図、（Ｂ）は背面図である。
【考案を実施するための形態】
【００２７】
以下、本考案の実施の形態を図面に基づいて詳細に説明する。
図１〜図７は本考案の実施の形態に係る放水銃装置１を示し、当該放水銃装置１は、ごみ焼却処理施設のごみピット２の擁壁３上端部に設けた通路４に設置され、ごみピット２内での火災発生時に消火作業を行うものであり、放水銃装置１をごみピット２の擁壁３上端部に設置する際には、擁壁３上端部に設けたコンクリート製の落下防止壁５（腰壁）の開口６を小さくすることができると共に、ごみピット２内のごみを搬送するクレーン（図示省略）との接触事故を防止できるようにしたものである。
【００２８】
即ち、前記放水銃装置１は、通路４の床面に設置した架台７と、架台７上にごみピット２に沿って水平姿勢で設けられ、上流側端部が送水管８に接続されて軸線φ１廻りに回転自在な水平給水パイプ９と、水平給水パイプ９に垂直姿勢で接続され、水平給水パイプ９の回転に伴って垂直回動する軸線φ２廻りに回転自在な垂直給水パイプ１０と、垂直給水パイプ１０の先端部に接続された放水銃１１と、垂直給水パイプ１０及び放水銃１１の垂直軌道上から外れた位置に設けられ、水平給水パイプ９を軸線φ１廻りに回転させる放水銃仰俯角用駆動部１２と、垂直給水パイプ１０及び放水銃１１の垂直軌道上から外れた位置に設けられ、垂直給水パイプ１０を軸線φ２廻りに回転させる放水銃回転用駆動部１３と、放水銃仰俯角用駆動部１２等を被覆する第１ケーシング１４と、放水銃回転用駆動部１３等を被覆する第２ケーシング１５等から構成されており、前記垂直給水パイプ１０は、通路４側へ垂直回動して水平姿勢に保たれ、放水銃１１を通路４側で且つごみピット２の擁壁３上端部に設けた落下防止壁５の上端よりも低い位置に収納する収納位置と、ごみピット２側へ垂直回動して垂直給水パイプ１０の先端部及び放水銃１１がごみピット２内に位置する使用位置とに亘って姿勢変更可能になっている。
【００２９】
前記架台７は、通路４の床面に設置したブロック状の土台７ａと、土台７ａ上に組み立て固定した複数のフレーム材７ｂとから成り、落下防止壁５に形成した開口６の近傍位置に配置されている。
【００３０】
前記送水管８は、下流側端部がＬ字状に曲げられていると共に、上流側端部に接続用のフランジ８ａを備えており、架台７上に水平姿勢で且つフランジ８ａが通路４側を向く姿勢で設置固定されている。
【００３１】
前記水平給水パイプ９は、直管９ａと、直管９ａの下流側端部に接続したチーズ管９ｂとから成る。
また、チーズ管９ｂの軸線φ１上に位置する下流側端部（直管９ａに接続された部分と反対側の部分）は、閉塞されており、チーズ管９ｂの下流側端部には、放水銃仰俯角軸１６が設けられている。
この水平給水パイプ９は、架台７上にごみピット２に沿って水平姿勢で配置されており、上流側端部が回転継手１７を介して送水管８の下流側端部に連通接続されていると共に、チーズ管９ｂの下流側端部に設けた放水銃仰俯角軸１６が架台７上に設けた軸受１８に回転自在に支持されている。
従って、水平給水パイプ９は、軸線φ１廻りに回転自在となっている。
【００３２】
前記垂直給水パイプ１０は、先端部（下流側端部）がＬ字状に形成されており、基端部（上流側端部）が回転継手１９を介して水平給水パイプ９のチーズ管９ｂに回転自在に連通接続されている。
従って、垂直給水パイプ１０は、水平給水パイプ９に垂直姿勢で接続された格好になっており、水平給水パイプ９の回転に伴って垂直回動すると共に、軸線φ２廻りに回転自在となっている。
【００３３】
前記放水銃１１は、垂直給水パイプ１０のＬ字状の先端部に接続されており、放水形態を噴霧状の放水形態又は棒状の放水形態に切り替え変更することができるようになっている。
【００３４】
前記放水銃仰俯角用駆動部１２は、送水管８と水平給水パイプ９の接続部近傍位置に配置され、架台７上に設けたモータ取付台２０に取り付けられた放水銃仰俯角用モータ１２ａと、放水銃仰俯角用モータ１２ａと水平給水パイプ９との介設した歯車伝動機構１２ｂとから成る。
また、歯車伝動機構１２ｂは、水平給水パイプ９の上流側端部外周面に設けたウォームホイール１２ｂ′と、ウォームホイール１２ｂ′に噛み合って放水銃仰俯角用モータ１２ａにより正逆回転されるウォームギヤ１２ｂ″と成る。
この放水銃仰俯角用駆動部１２は、放水銃仰俯角用モータ１２ａによりウォームギヤ１２ｂ″を正逆回転させることにより、ウォームホイール１２ｂ′を介して水平給水パイプ９を軸線φ１廻りに正逆回転させることができるようになっている。
その結果、水平給水パイプ９に垂直に接続した垂直給水パイプ１０を垂直回動させることができる。
【００３５】
前記放水銃回転用駆動部１３は、水平給水パイプ９と垂直給水パイプ１０の接続部近傍位置に配置され、水平給水パイプ９と垂直給水パイプ１０の接続部に設けたモータ取付台２１に取り付けられた放水銃回転用モータ１３ａと、放水銃回転用モータ１３ａと垂直給水パイプ１０との間に介設した歯車伝動機構１３ｂとから成る。
また、歯車伝動機構１３ｂは、垂直給水パイプ１０の上流側端部外周面に設けたウォームホイール１３ｂ′と、ウォームホイール１３ｂ′に噛み合って放水銃回転用モータ１３ａにより正逆回転されるウォームギヤ１３ｂ″と成る。
この放水銃回転用駆動部１３は、放水銃回転用モータ１３ａによりウォームギヤ１３ｂ″を正逆回転させることにより、ウォームホイール１３ｂ′を介して垂直給水パイプ１０を軸線φ２廻りに正逆回転させることができるようになっている。
その結果、垂直給水パイプ１０のＬ字状の先端部に接続した放水銃１１を３６０度正逆回転させることができる。
【００３６】
前記第１ケーシング１４は、箱型に形成されており、水平給水パイプ９の上流側部分と、送水管８の下流側部分と、放水銃仰俯角用駆動部１２とを被覆するものである。
この第１ケーシング１４により、激しい埃等の作業条件下においても、放水銃仰俯角用駆動部１２等の防塵保護を行えると共に、放水銃仰俯角用駆動部１２の可動部分が外部へ露出するのを防止できて安全性を高められる。
尚、第１ケーシング１４の形状は、箱型に限定されるものではなく、水平給水パイプ９の上流側部分や放水銃仰俯角用駆動部１２等を覆うことができる形状であれば、如何なる形状であっても良い。例えば、第１ケーシング１４を円筒形状に形成しても良いことは勿論である。
【００３７】
前記第２ケーシング１５は、箱型に形成されており、水平給水パイプ９の下流側部分と、垂直給水パイプ１０の上流側部分と、放水銃回転用駆動部１３とを被覆するものである。
この第２ケーシング１５により、激しい埃等の作業条件下においても、放水銃回転用駆動部１３等の防塵保護を行えると共に、放水銃回転用駆動部１３の可動部分が外部へ露出するのを防止できて安全性を高められる。
尚、第２ケーシング１５の形状は、箱型に限定されるものではなく、水平給水パイプ９の下流側部分や放水銃回転用駆動部１３等を覆うことができる形状であれば、如何なる形状であっても良い。例えば、第２ケーシング１５を円筒形状に形成しても良いことは勿論である。
【００３８】
尚、放水銃仰俯角用駆動部１２及び放水銃回転用駆動部１３は、何れもごみピット２の操作室に設けた操作部及び制御部（何れも図示省略）から遠隔操作できるように構成されている。
また、第１ケーシング１４及び第２ケーシング１５は、図示していないが、何れも一部分が開放可能に構成されており、各駆動部１２，１３等のメンテナンスを行えるようになっている。
【００３９】
上述した構成の放水銃装置１は、非消火作業時においては、垂直給水パイプ１０が通路４側へ垂直回動して水平姿勢に保たれる収納位置となっている（図５参照）。
【００４０】
このとき、放水銃１１及び垂直給水パイプ１０は、どの部分も落下防止壁５の上端を超えず、しかも、放水銃１１が通路４側に位置してごみピット２の内部（底面の水平投影部分）に突出しないようになっている。
その結果、放水銃装置１は、ごみピット２内のごみを搬送するクレーンとの接触事故を確実且つ良好に防止することができる。
【００４１】
そして、ごみピット２内に火災が発生した場合には、先ず、収納位置にある垂直給水パイプ１０を放水銃回転用駆動部１３により軸線φ２廻りに９０度回転させ、垂直給水パイプ１０の先端部に設けた放水銃１１を真上に起立させる（図６参照）。
【００４２】
次に、水平給水パイプ９を放水銃仰俯角用駆動部１２により軸線φ１廻りに１８０度回転させ、水平給水パイプ９に垂直に接続した垂直給水パイプ１０をごみピット２側へ垂直回動させる（図７参照）。
【００４３】
このとき、放水銃１１及び垂直給水パイプ１０は、収納位置から使用位置までの動作を垂直動作としているため、動作に必要な水平投影面を減少させることができる。
その結果、ごみピット２の擁壁３上端部に設けた落下防止壁５の開口６を小さくすることができ、落下防止壁５の開口６に柵を設置する必要がなくなると共に、作業員の転落事故を防止することができる。
【００４４】
垂直給水パイプ１０がごみピット２側へ垂直回動したら、放水銃１１が火災方向へ向くように放水銃回転用駆動部１３により垂直給水パイプ１０を軸線φ２廻りに回転させ、その後、放水作業を行う。
【００４５】
尚、上記の実施の形態においては、放水銃装置１をごみピット２の擁壁３上端部に設けた通路４に設置するようにしたが、他の実施の形態においては、図８に示す如く、放水銃装置１をクレーンよりも高い位置にある梁等のブリッジ２２上に設置し、ごみピット２内の消火作業を行うようにしても良い。この場合、放水銃１１を中心として３６０度放水可能となる。
【００４６】
また、上記の実施の形態においては、放水銃装置１の放水銃仰俯角用駆動部１２及び放水銃回転用駆動部１３を遠隔操作できるようにしたが、他の実施の形態においては、遠隔操作だけでなく、手動操作もできるように構成しておいても良い。この場合には、電気的な故障が生じても、手動操作により消火活動を行うことができる。
【符号の説明】
【００４７】
１は放水銃装置、２はごみピット、３は擁壁、４は通路、５は落下防止壁、６は開口、７は架台、７ａは土台、７ｂはフレーム材、８は送水管、８ａはフランジ、９は水平給水パイプ、９ａは直管、９ｂはチーズ管、１０は垂直給水パイプ、１１は放水銃、１２は放水銃仰俯角用駆動部、１２ａは放水銃仰俯角用モータ、１２ｂは歯車伝動機構、１２ｂ′はウォームホイール、１２ｂ″はウォームギヤ、１３は放水銃回転用駆動部、１３ａは放水銃回転用モータ、１３ｂは歯車伝動機構、１３ｂ′はウォームホイール、１３ｂ″はウォームギヤ、１４は第１ケーシング、１５は第２ケーシング、１６は放水銃仰俯角軸、１７は回転継手、１８は軸受、１９は回転継手、２０はモータ取付台、２１はモータ取付台、２２はブリッジ、φ１は水平給水パイプの軸線、φ２は垂直給水パイプの軸線。
【図１】
0003187740.tif 000003
【図２】
0003187740.tif 000004
【図３】
0003187740.tif 000005
【図４】
0003187740.tif 000006
【図５】
0003187740.tif 000007
【図６】
0003187740.tif 000008
【図７】
0003187740.tif 000009
【図８】
0003187740.tif 000010
【図９】
0003187740.tif 000011
【図１０】
0003187740.tif 000012